(57)【要約】【課題】簡易な構成で、水剤容器群における各水剤容器に水剤を略均等に充填する。【解決手段】水剤容器群は、上側に開口する開口部を有し、水剤を収容可能であり、列状に設けられる複数の水剤容器と、隣接する前記水剤容器間を連結する連結管と、前記水剤容器群を自立させる平面状の底部と、を備える。【選択図】図１
2019182432.tif 000002
【特許請求の範囲】
【請求項１】
水剤容器群であって、
上側に開口する開口部を有し、水剤を収容可能であり、列状に設けられる複数の水剤容器と、
隣接する前記水剤容器間を連結する連結管と、
前記水剤容器群を自立させる平面状の底部と、を備える、
水剤容器群。
【請求項２】
前記連結管は、前記底部より上に位置する、
請求項１に記載の水剤容器群。
【請求項３】
前記連結管は、前記底部近傍に位置する、
請求項２に記載の水剤容器群。
【請求項４】
前記連結管の断面の上下方向の幅が、左右方向の幅と比べて大きい、
請求項１から請求項３のいずれか１項に記載の水剤容器群。
【請求項５】
水剤容器群であって、上側に開口する開口部を有し、水剤を収容可能であり、列状に設けられる複数の水剤容器と、隣接する前記水剤容器間を連結する連結管と、前記水剤容器群を自立させる平面状の底部と、を備える水剤容器群の水剤充填方法であって、
前記水剤を前記開口部から前記水剤容器に注入するステップと、
前記連結管を封止するステップと、
前記開口部を封止するステップと、を有する、
水剤充填方法。
【発明の詳細な説明】
【技術分野】
【０００１】
本発明の一態様は、水剤を格納する容器を複数含む水剤容器群等に関する。
【背景技術】
【０００２】
互いに連結された複数の容器にそれぞれ１回の使用量の水剤が分注された水剤容器群がある。このような水剤容器群は、たとえば特許文献１などに開示されている。
【先行技術文献】
【特許文献】
【０００３】
【特許文献１】国際公開第２００５／１１５８４２号
【発明の概要】
【発明が解決しようとする課題】
【０００４】
特許文献１に記載の水剤容器群では、複数の液体収容容器が、液体収容容器の底から下方に向かって突出している管状の連通部によって互いに連結されている。また、水剤を注入する場合、液体収容容器に接続されたポンプおよびリザーバタンクなどを用いて各液体収容容器に水剤が注入される。このような液体収容容器は、比較的大規模な機械を用いて水剤を注入することが想定されている。
【０００５】
一方、たとえば薬局などの小規模の事業所において水剤容器群に水剤を注入する場合、より簡素な構成が好ましい。具体的には、たとえば、ポンプおよびリザーバタンクなどを用いずに、各液体収容容器に水剤を注入することが望まれる。また、特許文献１に記載の水剤容器群では、連通部の径が小さく、各液体収容容器を自立させることが困難なため、各液体収容容器を支持するための器具を別途用意することが求められる。このような器具を別途用意することは小規模の事業所では困難な場合があり、簡易な構成で、水剤容器群における各水剤容器に水剤を略均等に充填することが可能な技術が求められる。
【課題を解決するための手段】
【０００６】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の一の手段は、
水剤容器群（１，１１，２１）であって、
上側に開口する開口部（２ａ，２２ａ）を有し、水剤を収容可能であり、列状に設けられる複数の水剤容器（２，２２）と、
隣接する前記水剤容器間を連結する連結管（３，２３）と、
前記水剤容器群を自立させる平面状の底部（２ｂ，２３ａ）と、を備える、
水剤容器群である。
【０００８】
従来の液体収容容器では、水剤を注入する機械での取り扱いを前提とされていたため、容器を自立させるという発想がなかった。これに対して、上記構成の水剤容器群によれば、水剤容器群を支持するための器具を別途用意しなくても平面状の底部によって水剤容器群を自立させることができる。また、ポンプおよびリザーバタンクなどを用いることなく、上側に開口した開口部から水剤を注入することで、各水剤容器に水剤を略均等に充填することができる。すなわち、簡易な構成で、水剤容器群における各水剤容器に水剤を略均等に充填することができるので、たとえば薬局などの小規模の事業所における水剤の充填において、好適に利用することができる。
【０００９】
上記水剤容器群おいて、好ましくは、
前記連結管は、前記底部より上に位置する。
【００１０】
上記構成の水剤容器群によれば、連結管より下部に位置する底部、たとえば水剤容器の底によって水剤容器群を自立させることができるので、連結管のサイズをより小さくすることができる。これにより、連結管の封止を容易にすることができる。
【００１１】
上記水剤容器群において、好ましくは、
前記連結管は、前記底部近傍に位置する。
【００１２】
上記構成の水剤容器群によれば、連結管の位置をより下方に設けることができるので、水剤容器に注入すべき水剤の量が少量である場合においても、各水剤容器に水剤を略均等に充填することができる。
【００１３】
上記水剤容器群において、好ましくは、
前記連結管の断面の上下方向の幅が、左右方向の幅と比べて大きい。
【００１４】
上記構成の水剤容器群によれば、連結管の封止のためにたとえば左右方向から熱溶着を行う際に、連結管の変形量をより小さくするとともに溶着部分の面積をより大きくすることができるので、連結管の封止をより確実に行うことができる。また、連結管の断面積をより大きくすることができるので、滑らかな水剤の流通を確保することができる。これにより、各水剤容器に水剤が均等に行き渡らなくなる可能性を低減することができる。
【００１５】
また、本発明の別の手段は、
水剤容器群であって、上側に開口する開口部を有し、水剤を収容可能であり、列状に設けられる複数の水剤容器と、隣接する前記水剤容器間を連結する連結管と、前記水剤容器群を自立させる平面状の底部と、を備える水剤容器群の水剤充填方法であって、
前記水剤を前記開口部から前記水剤容器に注入するステップと、
前記連結管を封止するステップと、
前記開口部を封止するステップと、を有する、
水剤充填方法である。
【００１６】
上記構成の水剤充填方法によれば、水剤容器群を支持するための器具を別途用意しなくても平面状の底部によって水剤容器群を自立させることができる。また、ポンプおよびリザーバタンクなどを用いることなく、上側に開口した開口部から水剤を注入することで、各水剤容器に水剤を略均等に充填することができる。すなわち、簡易な構成で、水剤容器群における各水剤容器に水剤を略均等に充填することができるので、たとえば薬局などにおける小規模な水剤の充填において、好適に利用することができる。また、たとえば、連結管を封止し、各水剤容器における水剤が他の水剤容器へ移動することを防いだ後、開口部を封止することで、各水剤容器における水剤量をより確実に均等にすることができる。
【図面の簡単な説明】
【００１７】
【図１】図１は、本実施形態の水剤容器群の斜視図である。
【図２】図２は、本実施形態の水剤容器群へ水剤を充填する際の作業手順を示すフローチャートである。
【図３】図３は、本実施形態の水剤容器群の変形例の斜視図である。
【図４】図４は、本実施形態の水剤容器群の変形例の正面図である。
【図５】図５は、本実施形態の水剤容器群の変形例の側面図である。
【発明を実施するための形態】
【００１８】
本発明の水剤容器群は、大規模な装置を用いることなく水剤容器に均等に水剤を充填させるために、当該水剤容器群を自立させる平面状の底部が設けられている点を特徴の一つとしている。
【００１９】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
（１）水剤容器群の構成例
（２）水剤の充填方法
（３）水剤容器群の変形例１
（４）水剤容器群の変形例２
２．補足事項
【００２０】
＜１．実施形態＞
（１）水剤容器群の構成例
＜水剤容器群１＞
本発明の実施形態について、図面を参照しながら説明する。図１は、本実施形態の水剤容器群の斜視図である。図１に示されるように、水剤容器群１は、７つの水剤容器２、６つの連結管３および底部を含んで構成される。
【００２１】
各図面にはｘ軸、ｙ軸、及びｚ軸を示している。７つの水剤容器２が並ぶ方向へ向いている軸を「ｘ軸」と定義する。水剤容器２が開口する方向へ向いている軸を「ｚ軸」と定義する。また、ｚ軸およびｘ軸の両方に垂直な軸を「ｙ軸」と定義する。ここでは、ｘ軸、ｙ軸およびｚ軸は、右手系の３次元の直交座標を形成する。ｘ軸の矢印方向をｘ軸＋側、矢印とは逆方向をｘ軸−側と呼ぶことがあり、その他の軸についても同様である。さらにｚ軸については、ｚ軸の矢印方向を上側、矢印とは逆方向を下側と呼ぶことがある。また、ｚ軸に平行な方向を上下方向、ｙ軸に平行な方向を左右方向と呼ぶことがある。
【００２２】
本実施形態では、水剤容器群１は、たとえば、ポリエチレンなどの樹脂によって一体で形成され、透明または半透明である。７つの水剤容器２は、ｘ軸に平行に列状に設けられる。なお、７つの水剤容器２は、曲線に沿って列状に設けられてもよい。また、水剤容器２の個数は、２つ以上６つ以下、または８つ以上であってもよい。ただし、水剤容器２の個数を７または７の倍数にすると、１週間分の水剤を処方する際に便利であるため好ましい。
【００２３】
＜水剤容器２＞
水剤容器２は、上側に開口し、下側が閉じている略円筒形状の部材である。水剤容器２は、開口部２ａおよび底面２ｂを有する。詳細には、開口部２ａは、上側に開口し、液体の薬剤すなわち水剤の注入口として機能する。底面２ｂは、本発明でいう「底部」の一具体例である。本実施形態では、底面２ｂは、水剤容器２の下側に位置し、平面形状を有している。底面２ｂによって水剤容器２の底が閉じられることで、水剤容器２の内部空間２ｄに水剤を収容することが可能となる。各水剤容器２の底面２ｂが作業台に接することで、水剤容器群１を自立させる。水剤容器２の側面には、内部空間２ｄに充填される水剤の容積を示す目盛り２ｃが刻印されている。本実施形態では、水剤容器２の側面には、１０ミリリットルおよび５ミリリットルの目盛り２ｃが刻印されている。
【００２４】
＜連結管３＞
連結管３は、隣接する水剤容器２間を連結する。詳細には、連結管３は、管状の部材であり、水剤容器２の内部空間２ｄと当該水剤容器２に隣接する水剤容器２の内部空間２ｄとを密閉を保ちながら連結する。本実施形態では、連結管３は、水剤容器２の底面２ｂより上に位置する。詳細には、連結管３は、底面２ｂ近傍に位置する。より詳細には、連結管３の内面の下端と内部空間２２ｄの下側の端部とが近接している。
【００２５】
連結管３の断面の上下方向の幅が、左右方向の幅と比べて大きい。本実施形態では、連結管３の断面の形状は、ｚ軸方向およびｙ軸方向にそれぞれ平行な長軸および短軸を有する楕円である。なお、連結管３の断面の形状は、楕円に限らず、ｚ軸方向に平行な長軸を有する長方形などであってもよい。
【００２６】
（２）水剤の充填方法
次に、本実施形態の水剤の充填方法について、図２を参照しながら説明する。図２は、本実施形態の水剤容器群へ水剤を充填する際の作業手順を示すフローチャートである。以下で挙げる作業者は、必ずしも充填作業を行う人間である必要はなく、その一部または全部が充填機械により行われてもよい。
【００２７】
＜Ｓ１００＞
作業者は、たとえば、液体の飲み薬すなわち水剤を調剤するとともに、水剤容器群１を水平な作業台に載置する（Ｓ１００）。
【００２８】
＜Ｓ１０２＞
次に、作業者は、７つの水剤容器２のうちのいずれか１つの水剤容器２の開口部２ａから、調剤した水剤を注入する（Ｓ１０２）。
【００２９】
＜Ｓ１０４＞
次に、作業者は、注入された水剤が連結管３を流通して各水剤容器２に行き渡り、液面が落ち着くまで待機する（Ｓ１０４）。
【００３０】
＜Ｓ１０６＞
次に、作業者は、目盛り２ｃと水剤の液面との関係に基づき、注入した水剤の量を確認する（Ｓ１０６）。
【００３１】
＜Ｓ１０８＞
作業者は、所定量の水剤を水剤容器２に注入できていない場合（Ｓ１０８でＮＯ）、７つの水剤容器２のうちのいずれか１つの水剤容器２の開口部２ａから水剤をさらに注入する（Ｓ１０２）。
【００３２】
＜Ｓ１１０＞
一方、作業者は、所定量の水剤を水剤容器２に注入できた場合（Ｓ１０８でＹＥＳ）、封止装置を用いて、水剤容器２の連結管３及び開口部２ａを封止して、密封状態にする。封止装置は、例えば、熱を用いて水剤容器２の連結管３及び開口部２ａを封止するヒートシーラーなどの熱封止装置である。作業者は、封止装置を操作して、６つの連結管３を封止する。本実施形態では、たとえば、作業者の操作により、封止装置が各連結管３を同時にヒータで挟み込んで熱溶着することで、６つの連結管３を一括で熱溶着する（Ｓ１１０）。
【００３３】
＜Ｓ１１２＞
次に、作業者は、封止装置を操作して、７つの水剤容器２の開口部２ａを封止する。本実施形態では、上記Ｓ１１０の処理の後に、封止装置が７つの水剤容器２の開口部２ａ近傍の側面を同時にヒータで挟み込んで熱溶着することで、水剤容器２の側面同士を一括で熱溶着する（Ｓ１１２）。なお、Ｓ１１０及びＳ１１２の処理は、これらの処理を連続して行う封止装置を用いずに作業者自身がそれぞれ実行してもよい。この場合、上記ステップＳ１１０において作業者が操作する装置と、上記ステップＳ１１２において作業者が操作する装置とは、一体化された１つの装置であってもよいし、別個の装置であってもよい。
【００３４】
＜Ｓ１１４＞
７つの水剤容器２は、一体に連結された状態で、それぞれ水剤を密閉状態で収容する（Ｓ１１４）。
【００３５】
このように、各水剤容器２に水剤を密閉状態で収容することで、外部からの汚染を防ぐことができるので、清潔な状態で水剤を保存することができる。
【００３６】
水剤の服用者は、一体に連結された複数の水剤容器２のうちの１つを切り離すことで、所定量の水剤を清潔な状態のまま取得することができる。
【００３７】
なお、作業者は、上記ステップＳ１１０において、６つの連結管３を一括で熱溶着したが、６つの連結管３を別個に熱溶着してもよい。
【００３８】
また、作業者は、上記ステップＳ１１２において、７つの水剤容器２の開口部２ａ近傍の側面を一括で熱溶着したが、７つの水剤容器２の開口部２ａ近傍の側面を別個に熱溶着してもよい。
【００３９】
従来の液体収容容器では、水剤を注入する機械での取り扱いを前提とされていたため、容器を自立させるという発想がなかった。これに対して、上記構成の水剤容器群によれば、水剤容器群１を支持するための器具を別途用意しなくても平面状の底面２ｂによって水剤容器群１を自立させることができる。また、ポンプおよびリザーバタンクなどを用いることなく、上側に開口した開口部２ａから水剤を注入することで、各水剤容器２に水剤を略均等に充填することができる。すなわち、簡易な構成で、水剤容器群１における各水剤容器２に水剤を略均等に充填することができるので、たとえば薬局などにおける小規模な水剤の充填において、好適に利用することができる。また、たとえば、連結管３を封止し、各水剤容器２における水剤が他の水剤容器２へ移動することを防いだ後、開口部２ａを封止することで、各水剤容器２における水剤量をより確実に均等にすることができる。
【００４０】
上記構成の水剤容器群では、連結管３が、底面２ｂより上に位置するため、連結管３より下部に位置する底部、たとえば水剤容器２の底面２ｂによって水剤容器群１を自立させることができるので、連結管３のサイズをより小さくすることができる。これにより、連結管３の封止を容易にすることができる。
【００４１】
上記構成の水剤容器群では、連結管３が、底面２ｂ近傍に位置するため、連結管３の位置をより下方に設けることができるので、水剤容器２に注入すべき水剤の量が少量である場合においても、各水剤容器２に水剤を略均等に充填することができる。
【００４２】
上記構成の水剤容器群では、連結管３の断面の上下方向の幅が、左右方向の幅と比べて大きいため、連結管３の封止のためにたとえば左右方向から熱溶着を行う際に、連結管３の変形量をより小さくするとともに溶着部分の面積をより大きくすることができるので、連結管３の封止をより確実に行うことができる。また、連結管３の断面積をより大きくすることができるので、滑らかな水剤の流通を確保することができる。これにより、各水剤容器２に水剤が均等に行き渡らなくなる可能性を低減することができる。
【００４３】
（３）水剤容器群の変形例１
図３は、本実施形態の水剤容器群の変形例の斜視図である。図３に示されるように、水剤容器群１１は、３つの水剤容器２、２つの連結管３、増設用連結管４ａ，４ｂおよび底部を含んで構成される。
【００４４】
３つの水剤容器２は、ｘ軸に平行に列状に設けられる。３つの水剤容器２のうちのｘ軸−側に位置する水剤容器２（以下、負側水剤容器と称することがある。）では、ｘ軸−側の側面においてｘ軸−側へ突出する増設用連結管４ａが設けられる。増設用連結管４ａは、管状の部材であり、負側水剤容器の内部空間２ｄと密閉を保ちながら連結する第１端と、開放された第２端とを有する。増設用連結管４ａが設けられる上下方向の位置は、たとえば連結管３と同じである。
【００４５】
３つの水剤容器２のうちのｘ軸＋側に位置する水剤容器２（以下、正側水剤容器と称することがある。）では、ｘ軸＋側の側面においてｘ軸＋側へ突出する増設用連結管４ｂが設けられる。増設用連結管４ｂは、管状の部材であり、正側水剤容器の内部空間２ｄと密閉を保ちながら連結する第１端と、開放された第２端とを有する。増設用連結管４ｂが設けられる上下方向の位置は、たとえば連結管３と同じである。
【００４６】
増設用連結管４ａの第２端と増設用連結管４ｂの第２端とは、密閉を保ちながら連結することが可能である。本実施形態では、たとえば、増設用連結管４ａの内径が増設用連結管４ｂの外径より若干小さい。このため、増設用連結管４ｂの第２端を増設用連結管４ａの第２端に差し込むことで、増設用連結管４ａと増設用連結管４ｂとが密閉を保ちながら連結される。
【００４７】
これにより、ある１つの水剤容器群１１（以下、第１水剤容器群と称することがある。）と他の１つの水剤容器群１１（以下、第２水剤容器群と称することがある。）とから、６つの水剤容器２から構成される水剤容器群を作成することができる。
【００４８】
具体的には、第１水剤容器群における増設用連結管４ａの第２端と、第２水剤容器群における増設用連結管４ｂの第２端とを接続し、第１水剤容器群における増設用連結管４ｂの第２端および第２水剤容器群における増設用連結管４ａの第２端を封止することで、６つの水剤容器２から構成される水剤容器群を作成することができる。
【００４９】
（３）水剤容器群の変形例２
図４は、本実施形態の水剤容器群の変形例の正面図である。図５は、本実施形態の水剤容器群の変形例の側面図である。図４および図５に示されるように、水剤容器群２１は、７つの水剤容器２２、１つの連結管２３および底部を含んで構成される。
【００５０】
本実施形態では、水剤容器群２１は、たとえば、ポリエチレンなどの樹脂によって一体で形成され、透明または半透明である。７つの水剤容器２２は、ｘ軸に平行に列状に設けられる。なお、７つの水剤容器２２は、曲線に沿って列状に設けられてもよい。また、水剤容器２２の個数は、２つ以上６つ以下、または８つ以上であってもよい。
【００５１】
＜水剤容器２２＞
水剤容器２２は、略円筒形状の円筒部２２ｅと、円筒部２２ｅの下側に接続し、下側に向かって縮径する中空のテーパー部２２ｆとを有する。円筒部２２ｅおよびテーパー部２２ｆの内部には、水剤を収容することが可能な内部空間２２ｄが形成される。円筒部２２ｅは、上側に開口し、水剤の注入口として機能する開口部２２ａを有する。円筒部２２ｅの側面には、内部空間２２ｄに充填される水剤の容積を示す目盛り２２ｃ、具体的には１０ミリリットルおよび５ミリリットルの目盛り２２ｃが刻印されている。テーパー部２２ｆは、内部空間２２ｄが連結管２３の内部空間と連続するように連結管２３に接続する。
【００５２】
＜連結管２３＞
連結管２３は、隣接する水剤容器２２間を連結する。詳細には、連結管２３は、略方形の断面を有する管状の部材であり、底面２３ａを有する。底面２３ａは、本発明でいう「底部」の一具体例である。底面２３ａは、連結管２３の下側に位置する。底面２３ａは、平面形状を有しており、水剤容器群２１を自立させる機能を有する。連結管２３は、水剤容器２２の内部空間２２ｄと当該水剤容器２２に隣接する水剤容器２２の内部空間２２ｄとを密閉を保ちながら連結する。本実施形態では、連結管２３は、水剤容器２２の下側に位置する。
【００５３】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００５４】
本実施形態の水剤容器群では、底面２ｂおよび底面２３ａが平面形状を有する構成について説明したが、水剤容器群を自立させることに支障がなければ、底面２ｂおよび底面２３ａに凹凸が設けられてもよい。
【産業上の利用可能性】
【００５５】
本発明は、薬局などの小規模の事業所において充填する水剤の容器として好適に利用される。
【符号の説明】
【００５６】
１…水剤容器群
２…水剤容器
２ａ…開口部
２ｂ…底面
２ｃ…目盛り
２ｄ…内部空間
３…連結管
４ａ…増設用連結管
４ｂ…増設用連結管
１１…水剤容器群
２１…水剤容器群
２２…水剤容器
２２ａ…開口部
２２ｃ…目盛り
２２ｄ…内部空間
２２ｅ…円筒部
２２ｆ…テーパー部
２３…連結管
２３ａ…底面
【図１】
2019182432.tif 000003
【図２】
2019182432.tif 000004
【図３】
2019182432.tif 000005
【図４】
2019182432.tif 000006
【図５】
2019182432.tif 000007